(57)【要約】【課題】利用者が選択するであろう写真画像を自動的に選択する自動写真撮影装置を提供する。【解決手段】落書き画像プレーンごとに色画素の割合を算出し（Ｓ１０１）、色画素の割合が高い順に順位を付ける（Ｓ１０３）。そして、順位の高い方から順に所定枚数の写真画像を印刷すべき写真画像として選択する（Ｓ１０４）。色画素の割合が高い順に代え、落書きにかかった入力時間が長い順、使用された落書きツールに応じて付与された累計ポイントが多い順、又は落書きに着手した順に写真画像を選択してもよい。また、左右両画面で落書きされた写真画像を優先的に選択したり、これら基準の２以上の組み合わせに基づいて写真画像を選択したりしてもよい。【選択図】図１１
2006295647.tif 000002
【特許請求の範囲】
【請求項１】
利用者を複数回撮影して複数の写真画像を得る撮影手段と、
前記撮影手段により得られた写真画像を利用者の操作に応じて編集する編集手段と、
複数の写真画像の中から、前記編集手段による編集の状況に応じて１又は２以上の写真画像を選択する選択手段と、
前記選択手段により選択された写真画像を印刷する印刷手段とを備えたことを特徴とする自動写真撮影装置。
【請求項２】
請求項１に記載の自動写真撮影装置であって、
前記選択手段は、
前記編集手段により加えられたデータ量を写真画像ごとに算出する算出手段と、
前記算出手段により算出されたデータ量が多い方から順に１又は２以上の写真画像を選択する写真選択手段とを含むことを特徴とする自動写真撮影装置。
【請求項３】
請求項１又は請求項２に記載の自動写真撮影装置であって、
前記選択手段は、
前記編集手段による編集にかかる入力時間を写真画像ごとに計測する計測手段と、
前記計測手段により計測された入力時間が長い方から順に１又は２以上の写真画像を選択する写真選択手段とを含むことを特徴とする自動写真撮影装置。
【請求項４】
請求項１〜請求項３のいずれか１項に記載の自動写真撮影装置であって、
前記選択手段は、前記編集手段により加えられた落書き画像の種類に応じて１又は２以上の写真画像を選択することを特徴とする自動写真撮影装置。
【請求項５】
請求項４に記載の自動写真撮影装置であって、
前記編集手段は、あらかじめ用意された複数の落書きツールの中から利用者の操作に応じて選択された落書きツールを用いて所望の落書き画像を写真画像に加え、
前記選択手段は、
落書きツールに対応付けてあらかじめ定められたポイントを記憶するポイント記憶手段と、
前記ポイント記憶手段を参照し、前記編集手段により用いられた落書きツールに対応付けられたポイントを写真画像ごとに累計する累計手段と、
前記累計手段により累計されたポイントが多い方から順に１又は２以上の写真画像を選択する写真選択手段とを含むことを特徴とする自動写真撮影装置。
【請求項６】
請求項４又は請求項５に記載の自動写真撮影装置であって、
前記選択手段はさらに、
複数の落書きツールの中から１又は２以上の落書きツールを特定ツールとして記憶する特定ツール記憶手段と、
前記特定ツール記憶手段を参照し、前記編集手段により用いられた落書きツールが特定ツールか否かを写真画像ごとに判断する判断手段とを含み、
前記写真選択手段は、前記判断手段による判断結果に基づいて特定ツールが用いられた写真画像を優先的に選択することを特徴とする自動写真撮影装置。
【請求項７】
請求項１〜請求項６のいずれか１項に記載の自動写真撮影装置であって、
前記選択手段は、
前記編集手段による編集開始の順番を写真画像ごとに監視する順番監視手段と、
前記順番監視手段による監視結果に基づいて編集開始の順番が早い方から順に１又は２以上の写真画像を選択する写真選択手段とを含むことを特徴とする自動写真撮影装置。
【請求項８】
請求項１〜請求項７のいずれか１項に記載の自動写真撮影装置であって、
前記編集手段は、
利用者の操作に応じて落書き画像の入力を受け付ける第１の入力手段と、
利用者の操作に応じて落書き画像の入力を受け付ける第２の入力手段とを含み、
前記選択手段は、
前記第１及び第２の入力手段による落書き画像の入力を写真画像ごとに監視する入力監視手段と、
前記入力監視手段による監視結果に基づいて前記第１及び第２の入力手段の両方により落書き画像が入力された１又は２以上の写真画像を選択する写真選択手段とを含むことを特徴とする自動写真撮影装置。
【請求項９】
請求項１〜請求項８のいずれか１項に記載の自動写真撮影装置であってさらに、
前記選択手段により選択された写真画像を利用者の操作に応じて選択された写真画像に変更する変更手段を備えたことを特徴とする自動写真撮影装置。
【請求項１０】
利用者を複数回撮影して複数の写真画像を得る撮影ステップと、
前記撮影ステップにより得られた写真画像を利用者の操作に応じて編集する編集ステップと、
複数の写真画像の中から、前記編集ステップによる編集の状況に応じて１又は２以上の写真画像を選択する選択ステップと、
前記選択ステップにより選択された写真画像を印刷する印刷ステップとを備えたことを特徴とする自動写真撮影方法。
【請求項１１】
利用者を複数回撮影して複数の写真画像を得る撮影ステップと、
前記撮影ステップにより得られた写真画像を利用者の操作に応じて編集する編集ステップと、
複数の写真画像の中から、前記編集ステップによる編集の状況に応じて１又は２以上の写真画像を選択する選択ステップと、
前記選択ステップにより選択された写真画像を印刷する印刷ステップとをコンピュータに実行させるための自動写真撮影プログラム。
【発明の詳細な説明】
【技術分野】
【０００１】
本発明は、自動写真撮影装置、自動写真撮影方法及び自動写真撮影プログラムに関し、さらに詳しくは、利用者を撮影して得た写真画像に所望の落書き画像を合成した上でシール紙に印刷して販売する自動写真撮影装置、自動写真撮影方法及び自動写真撮影プログラムに関する。
【背景技術】
【０００２】
自動写真撮影装置は店舗や遊技場などに設置されており、利用者が所定のコインを投入すると、プレイが開始され、利用者を含む被写体を撮影する。利用者は、撮影した写真画像にタッチペンなどで落書きをする。自動写真撮影装置は、入力された落書き画像を写真画像に合成し、その合成画像を所定のレイアウトで１枚のシールシートに印刷して利用者に提供する。
【０００３】
一般に、撮影は所定の制限時間又は所定の回数に達するまで複数回行われ、複数の写真画像が得られる。利用者はその中から気に入った写真画像を選択し、選択された写真画像のみが印刷され、利用者に提供される。
【０００４】
たとえば特開２００２−７７７８２号公報（特許文献１）には、撮影した複数の写真画像を画面に表示し、その中から印刷したい画像を選択させた後、その選択された写真画像の明るさを調整させたり、落書きをさせたりする方法が開示されている（同公報００６７段落、図９等参照）。
【０００５】
しかしながら、印刷される画像は写真画像と落書き画像とを合成した画像であるため、落書きをした後の合成画像を見ないと、好みの画像を選択しづらいという問題がある。
【０００６】
これに対し、特開２００４−７８４１号公報（特許文献２）には、撮影した全ての写真画像を落書きの対象とし、各写真画像に落書きをさせた後、その合成画像を表示し、その中から印刷したい画像を選択させる方法が開示されている。
【０００７】
実際の市場では、特許文献１のように落書き前に写真を選択させる装置と、特許文献２のように落書き後に写真を選択させる装置という、２種類の自動写真撮影装置が混在している。
【０００８】
また、自動写真撮影装置では一般に、顧客の回転率を上げるため、上述した撮影工程はもちろん、写真選択や落書きなどの工程でも回数や時間の制限が設けられている。そのため、操作に不慣れな利用者は、好みの写真から順番に落書きを始め、特に気に入った写真に集中して落書きをし、たくさん落書きをした画像をシール紙に印刷したいと望む傾向がある。
【０００９】
しかしながら、上述したように市場では２種類の自動写真撮影装置が混在しているため、落書き後に写真を選択させる装置では、落書き終了後に写真を選択する必要があることに利用者が気づかず、写真選択のための制限時間に達し、好みの写真を選択できないという問題がある。
【００１０】
また、印刷可能な画像の種類は限られることが多いため、落書き後に写真を選択させる装置でも、落書きを始める前にどの画像を印刷するかを利用者同士であらかじめ話し合って決め、決めた写真から落書きを始めることが多い。そのため、話し合っている間も落書きのための制限時間が無駄に過ぎてしまい、満足に落書きできないという問題がある。
【００１１】
以上のように、落書き後に写真を選択させる装置でも問題はまだ残っている。
【００１２】
さらに、上記２種類の装置いずれでも写真選択用に制限時間が設けられているため、制限時間に達し、好みの画像を選択できないという問題がある。また、写真選択用の時間を設けるため、一利用者当たりのプレイ時間が長くなり、顧客の回転率が低下するという問題もある。
【特許文献１】特開２００２−７７７８２号公報
【特許文献２】特開２００４−７８４１号公報
【発明の開示】
【発明が解決しようとする課題】
【００１３】
本発明の目的は、利用者が選択するであろう写真画像を自動的に選択する自動写真撮影装置、自動写真撮影方法及び自動写真撮影プログラムを提供することである。
【課題を解決するための手段及び発明の効果】
【００１４】
本発明による自動写真撮影装置は、撮影手段と、編集手段と、選択手段と、印刷手段とを備える。撮影手段は、利用者を複数回撮影して複数の写真画像を得る。編集手段は、撮影手段により得られた写真画像を利用者の操作に応じて編集する。選択手段は、複数の写真画像の中から、編集手段による編集の状況に応じて１又は２以上の写真画像を選択する。印刷手段は、選択手段により選択された写真画像を印刷する。
【００１５】
この自動写真撮影装置によれば、撮影して編集した複数の写真画像の中から、編集の状況に応じて印刷すべき写真画像が選択される。そのため、利用者が選択するであろう写真画像を自動的に選択することができる。
【００１６】
好ましくは、選択手段は、算出手段と、写真選択手段とを含む。算出手段は、編集手段により加えられたデータ量を写真画像ごとに算出する。写真選択手段は、算出手段により算出されたデータ量が多い方から順に１又は２以上の写真画像を選択する。
【００１７】
この場合、利用者が多くの編集を加えた結果、データ量が多くなった方から順に写真画像が選択されるので、利用者が選択する可能性の高い写真画像が自動的に選択される。
【００１８】
好ましくは、選択手段は、計測手段と、写真選択手段とを含む。計測手段は、編集手段による編集にかかる入力時間を写真画像ごとに計測する。写真選択手段は、計測手段により計測された入力時間が長い方から順に１又は２以上の写真画像を選択する。
【００１９】
この場合、利用者が時間をかけて編集を加えた結果、入力時間が長くなった方から順に写真画像が選択されるので、利用者が選択する可能性の高い写真画像が自動的に選択される。
【００２０】
好ましくは、選択手段は、編集手段により加えられた落書き画像の種類に応じて１又は２以上の写真画像を選択する。
【００２１】
この場合、利用者が編集により加えた落書きの種類に応じて写真画像が選択されるので、利用者が選択する可能性の高い写真画像が自動的に選択される。
【００２２】
好ましくは、編集手段は、あらかじめ用意された複数の落書きツールの中から利用者の操作に応じて選択された落書きツールを用いて所望の落書き画像を写真画像に加える。選択手段は、ポイント記憶手段と、累計手段と、写真選択手段とを含む。ポイント記憶手段は、落書きツールに対応付けてあらかじめ定められたポイントを記憶する。累計手段は、ポイント記憶手段を参照し、編集手段により用いられた落書きツールに対応付けられたポイントを写真画像ごとに累計する。写真選択手段は、累計手段により累計されたポイントが多い方から順に１又は２以上の写真画像を選択する。
【００２３】
この場合、利用者が好みの落書きツールを用いて落書きした結果、落書きツールの累計ポイントが多くなった方から順に写真画像が選択されるので、利用者が選択する可能性のより高い写真画像が自動的に選択される。
【００２４】
好ましくは、選択手段はさらに、特定ツール記憶手段と、判断手段とを含む。特定ツール記憶手段は、複数の落書きツールの中から１又は２以上の落書きツールを特定ツールと記憶する。判断手段は、特定ツール記憶手段を参照し、編集手段により用いられた落書きツールが特定ツールか否かを写真画像ごとに判断する。写真選択手段は、判断手段による判断結果に基づいて特定ツールが用いられた写真画像を優先的に選択する。なお、特定ツール記憶手段は、上記ポイント記憶手段と同一ハードウェア資源で実現されていても、別のハードウェア資源で実現されていてもよい。
【００２５】
この場合、利用者が特定の落書きツールを用いて落書きした写真画像が選択されるので、利用者が選択する可能性のより高い写真画像が自動的に選択される。
【００２６】
好ましくは、選択手段は、順番監視手段と、写真選択手段とを含む。順番監視手段は、編集手段による編集開始の順番を写真画像ごとに監視する。写真選択手段は、順番監視手段による監視結果に基づいて編集開始の順番が早い方から順に１又は２以上の写真画像を選択する。
【００２７】
この場合、利用者が編集に着手した順に写真画像が選択されるので、利用者が選択する可能性の高い写真画像が自動的に選択される。
【００２８】
好ましくは、編集手段は、第１の入力手段と、第２の入力手段とを含む。第１の入力手段は、利用者の操作に応じて落書き画像の入力を受け付ける。第２の入力手段は、利用者の操作に応じて落書き画像の入力を受け付ける。選択手段は、入力監視手段と、写真選択手段とを含む。入力監視手段は、第１及び第２の入力手段による落書き画像の入力を写真画像ごとに監視する。写真選択手段は、入力監視手段による監視結果に基づいて第１及び第２の入力手段の両方により落書き画像が入力された１又は２以上の写真画像を選択する。
【００２９】
この場合、利用者が第１及び第２の入力手段の両方で落書きした写真画像が選択されるので、利用者が選択する可能性の高い写真画像が自動的に選択される。
【００３０】
好ましくは、自動写真撮影装置はさらに、選択手段により選択された写真画像を利用者の操作に応じて選択された写真画像に変更する変更手段を備える。
【００３１】
この場合、利用者の操作に応じて写真画像が変更されるので、自動的に選択された写真画像が気に入らない場合でも、利用者は所望の写真画像を選択し直すことができる。
【００３２】
本発明による自動写真撮影方法は上記自動写真撮影装置を動作させる方法であり、本発明による自動写真撮影プログラムはその方法をコンピュータに実行させるためのプログラムである。
【発明を実施するための最良の形態】
【００３３】
以下、図面を参照し、本発明の実施の形態を詳しく説明する。図中同一又は相当部分には同一符号を付してその説明は繰り返さない。
【００３４】
［第１の実施の形態］
［外観構成］
図１及び図２を参照して、本発明の実施の形態による自動写真撮影装置１は、撮影を行う撮影空間２と、撮影により得られた写真画像の編集を行う編集空間３とに分かれる。撮影空間２には、撮影筐体４及び背面パネル５が互いに対向して設置され、編集空間３には、編集筐体８が撮影筐体４に隣接して設置される。撮影空間２及び編集空間３はサイドカーテン９などにより外部と区分されている。
【００３５】
背面パネル５の上方よりも少し前方には、背景カーテンユニット６が装備される。背景カーテンユニット６には、複数の背景カーテン７がそれぞれ巻き取られて収納される。背景カーテン７は様々な色や柄を有し、撮影時には所望の１枚が降下され、被写体の背景を形成する。背景カーテン７を降ろした状態が背景カーテン７を閉じた状態であり、背景カーテン７を上げた状態が背景カーテン７を開けた状態である。背景カーテン７はモータ等で回転されて自動的に降下されるようにしてもよいが、利用者の手動操作で引き出されて降下されるようにしてもよい。
【００３６】
自動写真撮影装置１の側面には、コインを投入するためのコイン投入口３１と、撮影空間２で撮影しかつ編集空間３で編集した画像をシール紙に印刷して排出するプリント排出口５１とが設けられる。
【００３７】
この自動写真撮影装置１を利用する場合、まず利用者はコイン投入口３１にコインを投入する。コインを受け付けると、自動写真撮影装置１は利用可能な状態にあればその旨を案内する。利用者はその案内に従って、開放されている後方側面から撮影空間２に入り、撮影筐体４に向かって撮影操作を行う。撮影終了後、利用者は編集空間３に移動し、今度は編集筐体８に向かって落書き又はお絵描きと呼ばれる編集操作を行う。
【００３８】
図３を参照して、撮影筐体４の正面中央にはカメラ１０が設けられ、その下方には撮影操作モニタ１１が設けられ、さらにそれらの周りには照明装置１３が設けられる。
【００３９】
カメラ１０は利用者を被写体として撮影するもので、一般にデジタルカメラが用いられる。カメラ１０は複数台設けたり、移動や角度調節をできるようにしたりしてもよい。
【００４０】
撮影操作モニタ１１は、カメラ１０で撮影されている映像をリアルタイムで表示する。さらに、その画面上には透明なタッチパネルが貼り付けられており、撮影操作モニタ１１は、タッチパネルに対する利用者の入力操作を受け付ける。
【００４１】
照明装置１３は、カメラ１０の上下左右及び天井に設けられ、被写体を前方から照明する。照明装置１３はその内部に、蛍光灯などの常灯照明と、ストロボなどの閃光照明（フラッシュ）とを有する。ストロボは、利用者から撮影の開始が指示され、カメラ１０が撮影している映像を静止画として取り込む瞬間に発光し、被写体を強く照明する。
【００４２】
照明装置は上記以外に、被写体の側方及び後方にも設けられ、被写体をあらゆる方向から照明する。
【００４３】
図４を参照して、編集筐体８は撮影筐体４と背中合わせに設置される。編集筐体８の正面中央には編集操作モニタ４０が設けられ、さらにその左右にタッチペン４２が設けられる。
【００４４】
編集操作モニタ４０は、カメラ１０で撮影された写真画像の中から選択された２枚の写真画像を左右に並べて表示する。さらに、その画面上には透明なタッチパネルが貼り付けられており、編集操作モニタ４０は、タッチパネルに対する利用者の入力操作を受け付ける。編集操作モニタ４０の両側には、フレーム、スタンプ、線書き、テキスト文字などの落書き画像をタッチパネル上で入力するためのタッチペン４２が設けられる。したがって、２人の利用者が左右のタッチペン４２を用いて左右２枚の写真画像にそれぞれ落書きをすることができる。落書き画像は写真画像のレイヤとは別の落書き画像プレーンに入力され、編集操作モニタ４０はその落書き画像プレーンを写真画像のレイヤ上に重ねて表示する。
【００４５】
編集終了後、自動写真撮影装置１は落書き画像と写真画像の合成画像をシール紙に印刷してプリント排出口５１から排出し、利用者に提供する。
【００４６】
［機能構成］
図５を参照して、自動写真撮影装置１は、撮影処理を実行する撮影用コンピュータ装置１０１ａと、編集処理を実行する編集用コンピュータ装置１０１ｂと、動作中のコンピュータ装置１０１ａ，１０１ｂからの指示を受付けて、接続されている各種装置を制御する制御基板１０２とを備える。撮影用コンピュータ装置１０１ａと編集用コンピュータ装置１０１ｂとは互いに接続され、画像データなどの授受をピアツーピアで行なう。これらは自動写真撮影装置１の制御手段として機能する。
【００４７】
コンピュータ装置１０１ａ，１０１ｂは、ＣＰＵ(Central Processing Unit)１０３ａ，１０３ｂと、本装置に所定の処理を実行させるためのプログラム、処理に必要なグラフィックデータ、音声データ、撮影された写真画像、入力された落書き画像、その他各種画像を記憶するハードディスクドライブ（ＨＤＤ）１０４ａ，１０４ｂ、プログラムの一時的な作業領域となるメモリ１０５ａ，１０５ｂとを含む。
【００４８】
撮影用コンピュータ装置１０１ａは、上記撮影プレイのプログラムの実行や、タッチパネル４１から受信した利用者の指などによってタッチされることによって行なわれる入力操作にしたがった指示信号に基づいて、制御基板１０２に対して制御信号を送信する。
【００４９】
撮影用コンピュータ装置１０１ａは、カメラ１０、撮影操作モニタ１１、制御基板１０２と接続されそれらを制御する。
【００５０】
編集用コンピュータ装置１０１ｂは、上記編集処理のプログラムを実行し、タッチパネル４１に対するタッチペン４２による入力操作に応じて制御信号を制御基板１０２に送信する。編集用コンピュータ装置１０１ｂは、プリンタ５５、編集操作モニタ４０、制御基板１０２に接続され、それらを制御する。
【００５１】
プリンタ５５は、写真画像と落書き画像の合成画像をシール紙等の印刷媒体に印刷する。この実施の形態のプリンタ５５は画像をシール紙に印刷するが、印刷媒体はシール紙に限定されることなく、他の印刷媒体でもよい。
【００５２】
タッチパネル１２は、撮影操作モニタ１１の上に積層されている。タッチパネル１２は、利用者の指等の接触を検知し、それに応じた指示信号を撮影用コンピュータ装置１０１ａに送信する。撮影操作モニタ１１は、撮影用コンピュータ装置１０１ａから送信された画像、具体的には、カメラ１０で撮像された写真画像、撮影のための案内、選択肢など表示する。
【００５３】
タッチパネル４１は、編集操作モニタ４０の上に積層されている。タッチパネル４１は、左右のタッチペン４２の接触を検知し、それに応じた指示信号を編集用コンピュータ装置１０１ｂに送信する。編集操作モニタ４０は、編集用コンピュータ装置１０１ｂから送信された画像、具体的には、落書きの最中には落書き画像を写真画像上に重ねて表示する。
【００５４】
制御基板１０２は、コンピュータ装置１０１ａ，１０１ｂの他に、ストロボ制御部１１０、ストロボ１５、蛍光灯１４、サービスパネル１１３、印刷中ＬＥＤ５２、印刷エラーＬＥＤ５３、コイン制御部１１２、案内表示ディスプレイ３３、及び音声制御部１１１に接続される。
【００５５】
ストロボ制御部１１０はカメラ１０に接続され、カメラ１０のシャッタタイミングに応じて発光するようにストロボ１５を制御する。音声制御部１１１は制御基板１０２を介して撮影用コンピュータ装置１０１ａ及び編集用コンピュータ装置１０１ｂに接続される。撮影用スピーカ１６は、撮影空間に配備され、撮影用コンピュータ装置１０１aから制御基板１０２を介して与えられる指示信号に基づいて、撮影プレイのための操作方法などの案内やＢＧＭなどを出力する。編集用スピーカ４６は、編集空間に配備され、編集用コンピュータ装置１０１ｂから制御基板１０２を介して与えられる指示信号に基づいて、編集プレイのための操作方法などの案内やＢＧＭなどを出力する。
【００５６】
［動作］
上述した自動写真撮影装置１の動作は次のとおり。
【００５７】
まず図６を参照して、自動写真撮影装置１による撮影処理を説明する。撮影用コンピュータ装置１０１ａのＣＰＵ１０３ａはハードディスク１０４ａに記憶されたコンピュータプログラムをメモリ１０５ａに読出して実行することにより、この撮影処理を実現する。
【００５８】
図６を参照して、ＣＰＵ１０３ａは、自動写真撮影装置１の利用を促すタイトルデモ画面を撮影操作モニタ１１に表示し（Ｓ１１）、その間にコイン制御部１１２においてコインの投入を監視する（Ｓ１２）。タイトルデモ画面の表示中に所定枚数のコインが投入されると（Ｓ１２でＹＥＳ）、ＣＰＵ１０３ａは所定の撮影処理を実行する（Ｓ１３）。
【００５９】
利用者は、撮影操作モニタ１１に表示される案内に従って複数回の撮影プレイを行う。ＣＰＵ１０３ａは、撮影回数が所定回数に達したか否かを判定する（Ｓ１４）。所定回数撮影していない場合（Ｓ１４でＮＯ）、ＣＰＵ１０３ａはステップＳ１３に戻って撮影処理を繰り返す。一方、所定回数撮影した場合（Ｓ１４でＹＥＳ）、ＣＰＵ１０３ａは、撮影処理で得られた複数の写真画像のデータを編集用コンピュータ装置１０１ｂに転送する（Ｓ１５）。ＣＰＵ１０３ａは編集空間３で落書きをするよう促す案内を撮影操作モニタ１１に表示した後、ステップＳ１１に戻って再びタイトルデモ画面を表示する。
【００６０】
ここでは撮影回数を制限しているが、撮影時間を制限するようにしてもよい。また、所定回数撮影した後にまだ所定の撮影制限時間が余っている場合や、編集空間３で前の利用者がまだ落書きをしている場合は、それらが終了するまで撮影プレイを行えるようにしてもよい。
【００６１】
次に図７を参照して、自動写真撮影装置１による編集・印刷処理を説明する。編集用コンピュータ装置１０１ｂのＣＰＵ１０３ｂはハードディスク１０４ｂに記憶されたコンピュータプログラムをメモリ１０５ｂに読出して実行することにより、この編集・印刷処理を実現する。
【００６２】
図７を参照して、ＣＰＵ１０３ｂは、撮影プレイから始めるよう促す待機画面を編集操作モニタ４０に表示する（Ｓ２１）。図６に示した撮影処理が終了すると、撮影用コンピュータ装置１０１ａから編集用コンピュータ装置１０１ｂに写真画像のデータが転送されて来るので、ＣＰＵ１０３ｂはこれを受け付け（Ｓ２２）、所定の落書き入力処理を実行する（Ｓ２３）。
【００６３】
具体的には、ＣＰＵ１０３は、図８に示すように、転送されて来た写真画像を編集操作モニタ４０に表示し、タッチパネル４１においてタッチペン４２による落書き画像の入力を受け付ける。
【００６４】
編集操作モニタ４０上には、撮影された写真画像のうち２枚が大きく左右に表示され、残りの写真画像は小さく中央に表示される。利用者が中央の小さい写真画像をタッチペン４２で選択すると、その写真画像が右又は左に大きく表示され、それまで表示されていた大きい写真画像は中央に小さく表示される。ここで表示される大きい写真画像及び小さい写真画像には、撮影された写真画像そのもの又はそのコピーを用いてもよいが、表示画像を迅速に切り替えるために、撮影された写真画像に基づいてあらかじめ生成された縮小又は拡大された画像を用いた方が好ましい。利用者は、タッチペン４２で所望の落書きツールを選択し、大きく表示された写真画像に落書きをする。落書きツールには、フレーム、スタンプ、ペンなどがある。
【００６５】
入力された落書き画像は、直ちに写真画像に合成されるのではなく、落書き画像プレーン上に保存され、メモリ１０５ｂに格納される。編集操作モニタ４０は、写真画像レイヤの上に落書き画像プレーンを重ねて表示する。
【００６６】
落書き対象となる写真画像は２枚表示されるので、２人の利用者はその２枚の写真画像に同時に落書きをすることができる。ここでは１台の編集操作モニタ４０に２枚の写真画像を一緒に表示するようにしているが、２台の編集操作モニタを設け、各々に１枚ずつ写真画像を表示するようにしてもよい。
【００６７】
利用者が落書きをしている間、ＣＰＵ１０３ｂは、落書き入力処理が終了したか否かを監視する（Ｓ２４）。落書き制限時間に達するか、画面に表示された「おしまい」ボタンがタッチされると、落書き入力処理は終了する。
【００６８】
落書き入力処理が終了すると（Ｓ２４でＹＥＳ）、ＣＰＵ１０３ｂは所定の自動写真選択処理を実行する（Ｓ２５）。自動写真選択処理は、利用者が印刷用に選択すると予想される写真画像を落書きの状況に応じて自動的に選択するもので、本発明の最大の特徴である。詳細は後述する。
【００６９】
所定枚数（本例では４枚）の写真画像が自動的に選択されると、ＣＰＵ１０３ｂは、図９（ａ）に示すように、印刷する画像を確認するための画面を編集操作モニタ４０に表示する（Ｓ２６）。本例では、自動的に選択された写真画像Ｄ，Ｂ，Ｃ，Ｈが表示されている。
【００７０】
利用者は、自動的に選択された画像を印刷することに同意できる場合は「決定」ボタン５６をタッチし、同意できない場合は「変更する」ボタン５７をタッチする。「決定」ボタン５６がタッチされず（Ｓ２７でＮＯ）、「変更する」ボタン５７がタッチされた場合（Ｓ２８でＹＥＳ）、ＣＰＵ１０３ｂは、図９（ｂ）に示すように、印刷する画像の変更を促す画面を表示し、利用者の要望に応じて印刷する画像を変更する（Ｓ２９）。
【００７１】
具体的には、現在選択されている写真画像Ｄ，Ｂ，Ｃ，Ｈが表示され、それらには太枠のカーソルが表示され、選択状態になっている。さらにこれらの下方には、現在選択されていない写真画像Ａ，Ｆ，Ｅ，Ｇが表示されている。
【００７２】
選択されている写真画像Ｄ，Ｂ，Ｃ，Ｈの中から利用者が印刷したくない写真画像をタッチすると、選択状態が解除される。そして、選択されていない写真画像Ａ，Ｆ，Ｅ，Ｇの中から利用者が印刷したい写真画像をタッチすると、上記選択状態が解除された写真画像と表示位置が入れ替えられ、そのタッチされた写真画像が代わりに選択状態になる。
【００７３】
たとえば写真画像Ｄの代わりに写真画像Ａを印刷したい場合、利用者は写真画像Ｄをタッチして選択状態を解除し、引き続き写真画像Ａをタッチして選択状態にすれば、写真画像Ｄと写真画像Ａの表示が入れ替わる。
【００７４】
利用者が印刷する画像の変更を終え、「ＯＫ」ボタン５８をタッチすると、ＣＰＵ１０３ｂはステップＳ２６に戻って再び印刷画像確認画面を表示する。
【００７５】
また、図９（ａ）に示した印刷画像確認画面に代え、図１０に示した印刷画像確認画面を表示するようにしてもよい。この画面では、「変更する」ボタン５７は表示されず、その代わり、現在選択されていない写真画像Ａ，Ｆ，Ｅ，Ｇも一緒に表示される。印刷する画像の切り替え方法は上記と同じである。この場合、画面の切り替えは不要であるから、所要時間は短縮される。
【００７６】
なお、利用者が所定枚数（本例では４枚）よりも多く選択しようとすると、「いらない写真を１枚選んでから押してね！」などと表示するとともに、その旨を音声で案内し、そのような入力を受け付けない。
【００７７】
図９（ａ）又は図１０に示した印刷画像確認画面において「決定」ボタン５６がタッチされるか、印刷する画像を確認するための制限時間が経過して残り時間が０になると（Ｓ２７でＹＥＳ）、ＣＰＵ１０３ｂは、現在選択されている写真画像を印刷する画像として確定する（Ｓ３０）。
【００７８】
続いて、ＣＰＵ１０３ｂは、利用者の操作に応じて印刷レイアウトを選択し（Ｓ３１）、選択された印刷レイアウトを適用し、落書き画像を合成した写真画像をプリンタ５５で印刷する（Ｓ３２）。写真画像を印刷したシール紙はプリント排出口５１から利用者に提供される。
【００７９】
［自動写真選択］
次に、図７に示した自動写真選択処理Ｓ２５の詳細を説明する。
【００８０】
図１１を参照して、ＣＰＵ１０３ｂは、落書き画像プレーンごとに色画素の割合を算出し、表１に示すように、算出した色画素の割合を写真画像に対応させてメモリ１０５ｂに記憶する（Ｓ１０１）。
【表１】
2006295647.tif 000003
【００８１】
落書き画像プレーンは、写真画像ごとに１枚ずつ用意されている。図１２（ａ）に示すように、何も落書きされていないとき、落書き画像プレーンＰ上には色画素は全く存在しない（表１中の写真画像Ｅ，Ｇに相当）。一方、図１２（ｂ）に示すように、何か落書きされているとき、落書き画像プレーンＰ上には色画素が存在する。たくさん落書きされているほど色画素の割合は高くなる。なお、色画素には、有彩色の画素だけでなく、黒、白、灰等の無彩色の画素もある。
【００８２】
ＣＰＵ１０３ｂは、全ての落書き画像プレーンについて上述した色画素の割合を繰り返し算出する（Ｓ１０２でＮＯ）。全ての落書き画像プレーンについて色画素の割合を算出し終えた場合（Ｓ１０２でＹＥＳ）、表１に示すように、ＣＰＵ１０３ｂは色画素の割合が高い順に順位を付ける（Ｓ１０３）。
【００８３】
そして、ＣＰＵ１０３ｂは、表１に示すように、順位の高い方から順に所定枚数Ｉの写真画像を選択し、印刷する否かを示す印刷フラグを「する」に設定する（Ｓ１０４）。本例ではＩ＝４で、第１番目から第４番目までの写真画像Ｄ，Ｂ，Ｃ，Ｈが自動的に選択される。
【００８４】
以上のように本発明の第１の実施の形態によれば、撮影して落書きした複数の写真画像の中から、落書きで加えられた色画素の割合が高い順に印刷すべき写真画像が選択されるため、利用者がたくさん落書きをし、選択する可能性の高い写真画像が自動的に選択される。したがって、利用者は印刷したい写真画像を選択しなくてもよく、写真選択にかかる手間を省くことができる。その結果、写真選択にかかる時間を短縮し、顧客の回転率を上げることもできる。また、短縮した時間を主要な落書きプレイや撮影プレイに割り当てることにより、利用者の満足度を向上させることができる。
【００８５】
ここでは、色画素の割合が高い順に写真画像を選択しているが、利用者が写真画像の明るさやコントラスト等を変更した場合、これにより加えられたデータ量が多い方から順に写真画像を選択するようにしてもよい。
【００８６】
［第２の実施の形態］
上記第１の実施の形態は色画素の割合が高い順に写真画像を自動的に選択するようにしているが、これに代えて、落書きにかかった入力時間が長い順に写真画像を自動的に選択するようにしてもよい。詳細は次のとおり。
【００８７】
編集用コンピュータ装置１０１ｂは、図７に示した落書き入力処理（Ｓ２３）を行っている間に図１３に示した入力時間計測処理を行い、落書きにかかった入力時間を写真画像ごとに計測する。
【００８８】
図１３を参照して、ＣＰＵ１０３ｂは、入力時間Ｔ（Ｎ）を０にリセットする（Ｓ１１１）。入力時間Ｔ（Ｎ）は写真画像ごとにあらかじめ用意された変数で、当該写真画像の落書きにかかった入力時間が与えられる。本例では８つの写真画像があるので、８つの入力時間Ｔ（Ａ）〜Ｔ（Ｈ）が用意される。入力時間Ｔ（Ａ）〜Ｔ（Ｈ）を総称してＴ（Ｎ）で表す。
【００８９】
ＣＰＵ１０３ｂは、現在選択されている写真画像の入力時間Ｔ（Ｎ）をワークＴ（Ｗ）にセットする（Ｓ１１２）。ワークＴ（Ｗ）は、現在選択されている写真画像に対する落書き入力時間を計測するために、あらかじめ用意された一時的な作業変数である。たとえば図１４（ａ）に示すように、写真画像Ａが選択された場合、入力時間Ｔ（Ａ）がワークＴ（Ｗ）にセットされる（Ｓ１１２）。
【００９０】
ＣＰＵ１０３ｂは現在選択されている写真画像に対する落書き入力時間の計測を開始し（Ｓ１１３）、１秒経過するたびに（Ｓ１１４でＹＥＳ）、ワークＴ（Ｗ）を１ずつインクリメントする（Ｓ１１５）。
【００９１】
この間に利用者が選択している写真画像を他の写真画像に切り替えた場合（Ｓ１１６でＹＥＳ）、ＣＰＵ１０３ｂはワークＴ（Ｗ）の値を切り替える前の写真画像の入力時間Ｔ（Ｎ）に代入し（Ｓ１１７）、ステップＳ１１２に戻る。
【００９２】
たとえば図１４（ｂ）に示すように、写真画像Ａが選択されてから５秒経過後に写真画像Ｄが選択された場合、ワークＴ（Ｗ）が入力時間Ｔ（Ａ）にセットされ（Ｓ１１７）、Ｔ（Ａ）＝５となる。その代わり、入力時間Ｔ（Ｄ）がワークＴ（Ｗ）にセットされ（Ｓ１１２）、写真画像Ｄに対する落書き入力時間の計測が開始される（Ｓ１１３）。
【００９３】
また図１４（ｃ）に示すように、写真画像Ｄが選択されてから６０秒経過後に再び写真画像Ａが選択された場合、ワークＴ（Ｗ）が入力時間Ｔ（Ｄ）にセットされ（Ｓ１１７）、Ｔ（Ｄ）＝６０となる。その代わり、入力時間Ｔ（Ａ）がワークＴ（Ｗ）にセットされ（Ｓ１１２）、写真画像Ａに対する落書き入力時間の計測が開始される（Ｓ１１３）。このとき、既にＴ（Ａ）＝５であるから、写真画像Ａに対する追加の落書き入力時間の計測が５秒から再開される。
【００９４】
さらに図１４（ｄ）に示すように、写真画像Ａが選択されてから５秒経過後に写真画像Ｆが選択された場合、ワークＴ（Ｗ）が入力時間Ｔ（Ａ）にセットされ（Ｓ１１７）、Ｔ（Ｄ）＝１０となる。その代わり、入力時間Ｔ（Ｆ）がワークＴ（Ｗ）にセットされ（Ｓ１１２）、写真画像Ｆに対する落書き入力時間の計測が開始される（Ｓ１１３）。
【００９５】
落書き入力処理（Ｓ２３）が終了するまでの間、ＣＰＵ１０３ｂは上記の処理（Ｓ１１２〜Ｓ１１７）を繰り返す（Ｓ１１８でＮＯ）。落書き入力処理（Ｓ２３）が終了したとき（Ｓ１１８でＹＥＳ）、ＣＰＵ１０３ｂはワークＴ（Ｗ）の値を終了時に選択されていた写真画像の入力時間Ｔ（Ｎ）に代入する（Ｓ１１９）。
【００９６】
以上の結果、写真画像が選択されるたびに入力時間が累計され、写真画像ごとに落書きに要した合計の入力時間Ｔ（Ｎ）が計測される。ＣＰＵ１０３ｂは、表２に示すように、計測した入力時間Ｔ（Ｎ）を写真画像に対応させてメモリ１０５ｂに記憶する。
【表２】
2006295647.tif 000004
【００９７】
一方、編集用コンピュータ装置１０１ｂは、図７に示した落書き入力処理（Ｓ２３）の終了後（Ｓ２４でＹＥＳ）、図１５に示した自動写真選択処理（Ｓ２５）を行う。
【００９８】
図１５を参照して、ＣＰＵ１０３ｂは、表２に示すように、入力時間が長い順に順位を付ける（Ｓ１２１）。そして、ＣＰＵ１０３ｂは、表２に示すように、順位の高い方から順に所定枚数Ｉの写真画像を選択し、印刷フラグを「する」に設定する（Ｓ１２２）。本例ではＩ＝４で、第１番目から第４番目までの写真画像Ｄ，Ｃ，Ｂ，Ｈが自動的に選択される。
【００９９】
この第２の実施の形態によれば、利用者が時間をかけて落書きした結果、その入力時間が長くなった方から順に写真画像が選択される。そのため、利用者が選択する可能性の高い写真画像が自動的に選択される。
【０１００】
［第３の実施の形態］
また、上記第１及び第２の実施の形態による自動写真選択処理に代えて、落書きの種類に応じて写真画像を自動的に選択するようにしてもよい。詳細は次のとおり。
【０１０１】
編集用コンピュータ装置１０１ｂは、図７に示した落書き入力処理（Ｓ２３）を行っている間に図１６に示した落書きポイントカウント処理を行い、使用された落書きツールに応じて付与されたポイントを写真画像ごとに累計する。
【０１０２】
図１６を参照して、ＣＰＵ１０３ｂは、ポイントＰ（Ｎ）及び特定ツールフラグＦ（Ｎ）をそれぞれ０にリセットする（Ｓ１３１）。ポイントＰ（Ｎ）は写真画像ごとにあらかじめ用意された変数で、当該写真画像の落書きに使用された落書きツールに応じてあらかじめ定められたポイントが与えられる。本例では８つの写真画像があるので、８つのポイントＰ（Ａ）〜Ｐ（Ｈ）が用意される。ポイントＰ（Ａ）〜Ｐ（Ｈ）を総称してＰ（Ｎ）で表す。また、特定ツールフラグＦ（Ｎ）は写真画像ごとにあらかじめ用意されたフラグで、当該写真画像の落書きに使用された落書きツールが特定ツールの場合にセットされる。本例では８つの写真画像があるので、８つの特定ツールフラグＦ（Ａ）〜Ｆ（Ｈ）が用意される。特定ツールフラグＦ（Ａ）〜Ｆ（Ｈ）を総称してＦ（Ｎ）で表す。
【０１０３】
ＣＰＵ１０３ｂは、現在選択されている写真画像のポイントＰ（Ｎ）をワークＰ（Ｗ）にセットする（Ｓ１３２）。ワークＰ（Ｗ）は、現在選択されている写真画像に対する落書きに使用された落書きツールのポイントを累計するために、あらかじめ用意された一時的な作業変数である。たとえば写真画像Ａが選択された場合、ポイントＰ（Ａ）がワークＰ（Ｗ）にセットされる（Ｓ１３２）。
【０１０４】
表３に示すように、あらかじめ定められた落書きツールはテーブルに登録され、ハードディスク１０４ｂに記憶されている。
【表３】
2006295647.tif 000005
【０１０５】
テーブルにはまた、落書きツールごとにあらかじめ定められたポイントが登録されている。ポイントは、過去の統計や経験則に基づいて人気の高い落書きツールほど高く設定される。ただし、「消しゴム」ボタン、「１つ戻る」ボタンなどの落書きツールには負のポイントが付与されている。なお、「はじめから」ボタンが選択された場合、それまでに累計された全てのポイントが０にリセットされる。
【０１０６】
テーブルにはまた、落書きツールごとに特定ツールか否かを示す情報が登録されている。最も人気の高い又はそれに準ずる落書きツールには特定ツールとして１がセットされ、それ以外の落書きツールには０がセットされている。
【０１０７】
再び図１６を参照して、ＣＰＵ１０３ｂは、現在選択されている写真画像に対して所定の落書きツールによる落書き入力を監視する（Ｓ１３３）。上述したあらかじめ登録された落書きツールのうちいずれかが使用された場合（Ｓ１３３でＹＥＳ）、ＣＰＵ１０３ｂは、その落書きツールに対応するポイントαをワークＰ（Ｗ）に加算する（Ｓ１３４）。なお、落書きツールは、ペンダウン動作ではなくペンアップ動作で初めて入力されたと判断される。
【０１０８】
続いて、ＣＰＵ１０３ｂは、表３に示したテーブルを参照し、その落書きツールが特定ツールか否かを判断する（Ｓ１３５）。特定ツールの場合、ＣＰＵ１０３ｂは、現在選択されている写真画像の特定ツールフラグＦ（Ｎ）を１にセットする（Ｓ１３６）。本例では、落書きツールとしてフレームが使用された場合、特定ツールフラグＦ（Ｎ）が１にセットされる。
ＣＰＵ１０３ｂはまた、ステップＳ１３３で落書き入力を監視するとともに、「はじめから」ボタンの入力も監視する（Ｓ１３７）。「はじめから」ボタンが選択された場合（Ｓ１３７でＹＥＳ）、ＣＰＵ１０３ｂは、ワークＰ（Ｗ）及び特定ツールフラグＦ（Ｎ）をそれぞれ０にリセットする（Ｓ１３８）。
【０１０９】
このように落書き入力やボタン入力を監視している間に、利用者が選択している写真画像を他の写真画像に切り替えた場合（Ｓ１３９でＹＥＳ）、ＣＰＵ１０３ｂはワークＰ（Ｗ）の値を切り替えるの前の写真画像のポイントＰ（Ｎ）に代入し（Ｓ１４０）、ステップＳ１３２に戻る。その結果、写真画像が選択されるたびにポイントが累計され、写真画像ごとに落書きに使用された落書きツールの合計ポイントＰ（Ｎ）が算出される。
【０１１０】
ＣＰＵ１０３ｂは、落書き入力処理（Ｓ２３）が終了するまで上記の処理（Ｓ１３３〜Ｓ１４０）を繰り返す（Ｓ１４１でＮＯ）。落書き入力処理（Ｓ２３）が終了した場合（Ｓ１４１でＹＥＳ）、ＣＰＵ１０３ｂはワークＰ（Ｗ）の値を終了時に選択されていた写真画像のポイントＰ（Ｎ）に代入する（Ｓ１４２）。そして、ＣＰＵ１０３ｂは、表４に示すように、算出したポイントＰ（Ｎ）及び特定ツールフラグＦ（Ｎ）を写真画像に対応させてメモリ１０５ｂに記憶する。
【表４】
2006295647.tif 000006
【０１１１】
一方、編集用コンピュータ装置１０１ｂは、図７に示した落書き入力処理（Ｓ２３）の終了後（Ｓ２４でＹＥＳ）、図１７に示した自動写真選択処理（Ｓ２５）を行う。
【０１１２】
図１７を参照して、ＣＰＵ１０３ｂは、表４に示すように、ポイントが高い順に順位を付ける（Ｓ１５１）。そして、ＣＰＵ１０３ｂは、特定ツールフラグＦ（Ｎ）が１にセットされている写真画像の枚数を所定の枚数Ｉと比較する（Ｓ１５２）。
【０１１３】
Ｆ（Ｎ）＝１の写真画像の枚数が所定の枚数Ｉと等しい場合、ＣＰＵ１０３ｂは、Ｆ（Ｎ）＝１の写真画像を全て選択する（Ｓ１５３）。また、Ｆ（Ｎ）＝１の写真画像の枚数が所定の枚数Ｉよりも多い場合、ＣＰＵ１０３ｂは、Ｆ（Ｎ）＝１の写真画像の中から順位の高い方から順に所定枚数Ｉの写真画像を選択する（Ｓ１５４）。さらに、Ｆ（Ｎ）＝１の写真画像の枚数が所定の枚数Ｉよりも少ない場合、ＣＰＵ１０３ｂは、Ｆ（Ｎ）＝１のＪ（<Ｉ）枚の写真画像を全て選択し（Ｓ１５５）、それでもまだ選択すべき写真画像が不足しているので、さらに、Ｆ（Ｎ）＝０の写真画像の中から順位の高い方から順に不足枚数（Ｉ−Ｊ）の写真画像を選択する（Ｓ１５６）。なお、ＣＰＵ１０３ｂは、写真画像を選択したとき印刷フラグを「する」に設定する。
【０１１４】
本例では、Ｆ（Ｎ）＝１の写真画像は２枚しかなく、所定の枚数Ｉ＝４よりも少ないため、最初にＦ（Ｎ）＝１の写真画像Ｂ，Ｆが自動的に選択され、次に残りの写真画像の中から、ポイントが第１番目の写真画像Ｄと、ポイントが第３番目の写真画像Ａとが自動的に選択される。
【０１１５】
この第３の実施の形態によれば、利用者が特定の落書きツールを用いて落書きした写真画像が優先的に選択され、さらに、利用者が好みの落書きツールを用いて落書きした結果、落書きツールの累計ポイントが多くなった方から順に写真画像が選択されるので、利用者が選択する可能性の高い写真画像が自動的に選択される。
【０１１６】
［第４の実施の形態］
また、上記第１〜第３の実施の形態による自動写真選択処理に代えて、落書きを開始した順に写真画像を自動的に選択するようにしてもよい。詳細は次のとおり。
【０１１７】
編集用コンピュータ装置１０１ｂは、図７に示した落書き入力処理（Ｓ２３）を行っている間に図１８に示した順番監視処理を行い、落書き入力が開始された順番を決定する。
【０１１８】
図１８を参照して、ＣＰＵ１０３ｂは、順番値Ｊ（Ｎ）を０にリセットする（Ｓ１６１）。順番値Ｊ（Ｎ）は写真画像ごとにあらかじめ用意された変数で、当該写真画像は何番目に落書き入力が開始されたかを示す。本例では８つの写真画像があるので、８つの順番値Ｊ（Ａ）〜Ｊ（Ｈ）が用意される。順番値Ｊ（Ａ）〜Ｊ（Ｈ）を総称してＪ（Ｎ）で表す。
【０１１９】
ＣＰＵ１０３ｂはまず、現在の順番値ｊを１にセットする（Ｓ１６２）。現在の順番値ｊは落書き入力が開始された現在の順番を示す変数で、順番値Ｊ（Ｎ）に代入されるたびに１つずつインクリメントされる。
【０１２０】
ＣＰＵ１０３ｂは、現在選択されている写真画像に対する落書き画像の入力を監視する（Ｓ１６３）。落書き画像の入力を受け付けると（Ｓ１６３でＹＥＳ）、ＣＰＵ１０３ｂは、当該写真画像に対応する順番値Ｊ（Ｎ）が０か否かを判断する（Ｓ１６４）。これにより、当該写真画像に対する落書きが初めてか否かが判別される。
【０１２１】
Ｊ（Ｎ）＝０の場合（Ｓ１６４でＹＥＳ）、つまり当該写真画像に対する落書きが初めての場合、ＣＰＵ１０３ｂは、現在の順番値ｊを当該写真画像に対応する順番値Ｊ（Ｎ）に代入し、さらに現在の順番値ｊを１だけインクリメントする（Ｓ１６５）。これにより、当該写真画像に対して落書きが開始された順番が決定される。一方、Ｊ（Ｎ）≠０の場合（Ｓ１６４でＮＯ）、当該写真画像は既に落書きされているので、現在の順番値ｊは代入されず、インクリメントもされない。
【０１２２】
落書き入力処理（Ｓ２３）が終了するまでの間、ＣＰＵ１０３ｂは上記の処理（Ｓ１６３〜Ｓ１６５）を繰り返す（Ｓ１６６でＮＯ）。落書き入力処理（Ｓ２３）が終了したとき（Ｓ１６６でＹＥＳ）、この順番監視処理は終了する。
【０１２３】
以上の結果、各写真画像に対して初めて落書きの入力を受け付けたとき、その落書きの順番が付与される。ＣＰＵ１０３ｂは、表５に示すように、付与された順番を写真画像に対応させてメモリ１０５ｂに記憶する。これにより、各写真画像に対して落書き画像の入力を受け付けた時期が早い順に順位が付けられる。
【表５】
2006295647.tif 000007
【０１２４】
一方、編集用コンピュータ装置１０１ｂは、図７に示した落書き入力処理（Ｓ２３）の終了後（Ｓ２４でＹＥＳ）、図１９に示した自動写真選択処理（Ｓ２５）を行う。
【０１２５】
図１９を参照して、ＣＰＵ１０３ｂは、表５に示すように、順位の高い方から順に所定枚数Ｉの写真画像を選択し、それらの印刷フラグを「する」に設定する（Ｓ１７１）。本例では、Ａ→Ｄ→Ｆ→Ｈ→Ｂ→Ｃの順に落書きされているので、写真画像Ａ，Ｄ，Ｆ，Ｈが自動的に選択される。なお、写真画像Ｅ及びＧは落書きされていないので、それらの順番は初期値０のままである。
【０１２６】
この第４の実施の形態によれば、利用者が落書きに着手した順に写真画像が選択されるので、利用者が選択する可能性の高い写真画像が自動的に選択される。
【０１２７】
［第５の実施の形態］
また、上記第１〜第４の実施の形態による自動写真選択処理に代えて、左右両画面における落書き状況に応じて写真画像を自動的に選択するようにしてもよい。詳細は次のとおり。
【０１２８】
編集用コンピュータ装置１０１ｂは、図７に示した落書き入力処理（Ｓ２３）を行っている間に図２０に示した左右両画面の入力監視処理を行い、左右それぞれの画面で行われた落書きの頻度をカウントする。
【０１２９】
図２０を参照して、ＣＰＵ１０３ｂは、左画面カウントＧＬ（Ｎ）及び右画面カウントＧＲ（Ｎ）をそれぞれ０にリセットする（Ｓ１８１）。左画面カウントＧＬ（Ｎ）は写真画像ごとにあらかじめ用意された変数で、左画面を使用して当該写真画像が落書きされた回数が与えられる。右画面カウントＧＲ（Ｎ）は写真画像ごとにあらかじめ用意された変数で、右画面を使用して当該写真画像が落書きされた回数が与えられる。本例では８つの写真画像があるので、左画面について８つの左画面カウントＧＬ（Ａ）〜ＧＬ（Ｈ）が用意され、右画面について８つの右画面カウントＧＲ（Ａ）〜ＧＲ（Ｈ）が用意される。左画面カウントＧＬ（Ａ）〜ＧＬ（Ｈ）を総称してＧＬ（Ｎ）で表す。右画面カウントＧＲ（Ａ）〜ＧＲ（Ｈ）を総称してＧＲ（Ｎ）で表す。
【０１３０】
ＣＰＵ１０３ｂは、現在選択されている写真画像に対する落書き画像の入力を監視する（Ｓ１８２）。落書き画像の入力を受け付けると（Ｓ１８２でＹＥＳ）、ＣＰＵ１０３ｂは、当該写真画像に対する落書き画像が左画面で入力されたか、右画面で入力されたかを判断する（Ｓ１８３，Ｓ１８４）。左画面で入力された場合（Ｓ１８３でＹＥＳ）、ＣＰＵ１０３ｂは、左画面カウントＧＬ（Ｎ）を１だけインクリメントする（Ｓ１８５）。右画面で入力された場合（Ｓ１８４でＹＥＳ）、ＣＰＵ１０３ｂは、右画面カウントＧＲ（Ｎ）を１だけインクリメントする（Ｓ１８６）。
【０１３１】
落書き入力処理（Ｓ２３）が終了するまでの間、ＣＰＵ１０３ｂは上記の処理（Ｓ１８２〜Ｓ１８６）を繰り返す（Ｓ１８７でＮＯ）。落書き入力処理（Ｓ２３）が終了したとき（Ｓ１８７でＹＥＳ）、この左右両画面の入力監視処理は終了する。
【０１３２】
以上の結果、ＣＰＵ１０３ｂは、表６に示すように、左画面における落書きの入力回数と右画面における落書きの入力回数とをそれぞれ写真画像に対応させてメモリ１０５ｂに記憶する。
【表６】
2006295647.tif 000008
【０１３３】
一方、編集用コンピュータ装置１０１ｂは、図７に示した落書き入力処理（Ｓ２３）の終了後（Ｓ２４でＹＥＳ）、図２１に示した自動写真選択処理（Ｓ２５）を行う。
【０１３４】
図２１を参照して、ＣＰＵ１０３ｂは、両方の画面カウントＧＬ（Ｎ）及びＧＲ（Ｎ）がともに０でない写真画像を印刷候補画像として抽出する（Ｓ１９１）。そして、ＣＰＵ１０３ｂは、印刷候補画像として抽出した写真画像の枚数を所定の枚数Ｉと比較する（Ｓ１９２）。抽出した写真画像の枚数が所定の枚数Ｉと等しい場合、ＣＰＵ１０３ｂは、抽出したＩ枚全ての写真画像を選択する（Ｓ１９３）。また、抽出した写真画像の枚数が所定の枚数Ｉよりも多い場合、ＣＰＵ１０３ｂは、両方の画面カウントＧＬ（Ｎ）及びＧＲ（Ｎ）の合計が多い順に順位を付け（Ｓ１９４）、抽出した写真画像のうち順位の高い方から順に所定枚数Ｉの写真画像を選択する（Ｓ１９５）。さらに、抽出した写真画像の枚数が所定の枚数Ｉよりも少ない場合、ＣＰＵ１０３ｂは、抽出したＪ（<Ｉ）枚全ての写真画像を選択する（Ｓ１９６）。それでもまだ選択すべき写真画像が不足しているので、ＣＰＵ１０３ｂは、抽出していない残りの写真画像に対し、両方の画面カウントＧＬ（Ｎ）及びＧＲ（Ｎ）の合計が多い順に順位を付け（Ｓ１９７）、残りの写真画像のうち順位の高い方から順に（Ｉ−Ｊ）枚の写真画像を選択する（Ｓ１９８）。なお、ＣＰＵ１０３ｂは、写真画像を選択したとき印刷フラグを「する」に設定する。
【０１３５】
本例では、表６に示すように、左右両画面で落書きされた写真画像は２枚しかなく、所定の枚数Ｉ＝４よりも少ないため、最初にそれらの写真画像Ｃ，Ｄが自動的に選択される。次に、片方の画面でしか落書きされていない写真画像の中から、落書きの回数が多い順に写真画像Ａ，Ｂが自動的に選択される。
【０１３６】
この第５の実施の形態によれば、利用者が左右両方の画面で落書きした写真画像が選択されるので、利用者が選択する可能性の高い写真画像が自動的に選択される。
【０１３７】
［第６の実施の形態］
写真画像を選択する基準として、上記第１の実施の形態は色画素の割合を採用し、上記第２の実施の形態は入力時間を採用し、上記第３の実施の形態は落書きの種類を採用し、上記第４の実施の形態は落書きの開始順序を採用し、上記第５の実施の形態は左右両画面における落書き状況を採用しているが、これら基準のうち２つ以上を総合的に考慮し、写真画像を選択するようにしてもよい。
【０１３８】
たとえば色画素の割合と入力時間とを採用する場合、編集用コンピュータ装置１０１ｂは、図７に示した落書き入力処理（Ｓ２３）の終了後（Ｓ２４でＹＥＳ）、図２２に示した自動写真選択処理（Ｓ２５）を行う。
【０１３９】
図２２を参照して、ＣＰＵ１０３ｂは、色画素の割合が多い順に順位を付け（Ｓ１９１）、かつ入力時間が長い順に順位を付け（Ｓ１９２）、その結果を表７に示すように写真画像に対応させてメモリ１０５ｂに記憶する。
【表７】
2006295647.tif 000009
【０１４０】
そして、ＣＰＵ１０３ｂは、色画素の割合に基づく順位と入力時間に基づく順位とを合計して総合順位を算出し（Ｓ１９３）、総合順位の高い方から順に所定枚数Ｉの写真画像を選択する（Ｓ１９４）。本例では、Ｉ＝４で、写真画像Ｄ，Ｂ，Ｃ，Ｈが自動的に選択される。
【０１４１】
また、写真画像を選択する基準として、色画素の割合及び入力時間に加え、使用された落書きツールの累計ポイントを採用してもよい。この場合、図２２に示した色画素の割合に基づく順位付け処理（Ｓ１９１）と入力時間に基づく順位付け処理（Ｓ１９２）とに加え、使用された落書きツールの累積ポイントが高い順に順位を付け、その結果を表８に示すように写真画像に対応させてメモリ１０５ｂに記憶する。
【表８】
2006295647.tif 000010
【０１４２】
ＣＰＵ１０３ｂは上記と同様に、色画素の割合に基づく順位と入力時間に基づく順位とポイントに基づく順位とを合計して総合順位を算出し、総合順位の高い方から順に所定枚数Ｉの写真画像を選択すればよい。
【０１４３】
本例では、Ｉ＝４で、写真画像Ｄ，Ｂ，Ｃは自動的に選択されるが、その次の写真画像Ａ，Ｈは総合順位が同じなので、選択すべき写真画像を決定することができない。このように同じ順位の写真画像が複数ある場合は、たとえば次のような方法で選択すべき写真画像を決定すればよい。
【０１４４】
１つの方法として、各基準で個別に判断したならば「印刷する」になる数が多い写真画像を優先的に選択する。本例では、４位以内に入るのは、写真画像Ａではポイントの１つだけであるのに対し、写真画像Ｈでは色画素の割合と入力時間の２つであるから、写真画像Ｈが優先的に選択される。
【０１４５】
また別の方法として、高い順位がある方の写真画像を優先的に選択するようにしてもよい。本例では、写真画像Ａのポイントが第３位と最も高いので、写真画像Ａが優先的に選択される。
【０１４６】
さらに別の方法として、各基準を重み付けするようにしてもよい。具体的には、各順位に所定の重み係数を乗算した後に合計し、総合順位を付けるようにしてもよい。たとえば色画素の割合を重み係数３とし、入力時間の重み係数を２とし、ポイントの重み係数を１とすると、写真画像Ａの総合順位は３０（＝５×３＋６×２＋３×１）となり、写真画像Ｈの総合順位は２６（＝４×３＋４×２＋６×１）となる。したがって、写真画像Ａが優先的に選択される。
【０１４７】
上記いずれの方法でも選択すべき写真画像を決定できない場合は、最初に撮影した写真画像（本例ではＡ）を選択したり、最後に撮影した写真画像（本例ではＨ）を選択したりするなど、撮影の順番に基づいて選択すべき写真画像を決定すればよい。また、発生させた乱数に基づいて選択すべき写真画像を決定してもよく、要するに、何らかのあらかじめ定められたルールに基づいて選択すべき写真画像を決定すればよい。
【０１４８】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【図面の簡単な説明】
【０１４９】
【図１】本発明の第１の実施の形態による自動写真撮影装置の内部構成を示す断面側面図である。
【図２】図１に示した自動写真撮影装置の外観構成を示す側面図である。
【図３】図１及び図２に示した自動写真撮影装置における撮影筐体の正面図である。
【図４】図１〜図３に示した自動写真撮影装置における編集筐体の斜視図である。
【図５】図１〜図４に示した自動写真撮影装置の機能構成を示すブロック図である。
【図６】図１〜図５に示した自動写真撮影装置による撮影処理を示すフロー図である。
【図７】図１〜図５に示した自動写真撮影装置による編集・印刷処理を示すフロー図である。
【図８】図７に示した落書き入力処理で表示される画面の一例を示す図である。
【図９】図７に示した印刷画像の確認処理で表示される画面の一例を示す図である。
【図１０】図７に示した印刷画像の確認処理で表示される画面の他の例を示す図である。
【図１１】図７に示した自動写真選択処理の詳細を示すフロー図である。
【図１２】図１１に示した自動写真選択処理で用いられる落書き画像プレーンの一例を示す図である。
【図１３】本発明の第２の実施の形態における入力時間計測処理を示すフロー図である。
【図１４】図１３に示した入力時間計測処理中に表示される画面の一例を示す図である。
【図１５】本発明の第２の実施の形態における自動写真選択処理を示すフロー図である。
【図１６】本発明の第３の実施の形態における落書きポイントカウント処理を示すフロー図である。
【図１７】本発明の第３の実施の形態における自動写真選択処理を示すフロー図である。
【図１８】本発明の第４の実施の形態における順番監視処理を示すフロー図である。
【図１９】本発明の第４の実施の形態における自動写真選択処理を示すフロー図である。
【図２０】本発明の第５の実施の形態における左右両画面の入力監視処理を示すフロー図である。
【図２１】本発明の第５の実施の形態における自動写真選択処理を示すフロー図である。
【図２２】本発明の第６の実施の形態における自動写真選択処理を示すフロー図である。
【符号の説明】
【０１５０】
１  自動写真撮影装置
２  撮影空間
３  編集空間
４  撮影筐体
８  編集筐体
１０  カメラ
４０  編集操作モニタ
４１  タッチパネル
５５  プリンタ
【図１】
2006295647.tif 000011
【図２】
2006295647.tif 000012
【図３】
2006295647.tif 000013
【図４】
2006295647.tif 000014
【図５】
2006295647.tif 000015
【図６】
2006295647.tif 000016
【図７】
2006295647.tif 000017
【図８】
2006295647.tif 000018
【図９】
2006295647.tif 000019
【図１０】
2006295647.tif 000020
【図１１】
2006295647.tif 000021
【図１２】
2006295647.tif 000022
【図１３】
2006295647.tif 000023
【図１４】
2006295647.tif 000024
【図１５】
2006295647.tif 000025
【図１６】
2006295647.tif 000026
【図１７】
2006295647.tif 000027
【図１８】
2006295647.tif 000028
【図１９】
2006295647.tif 000029
【図２０】
2006295647.tif 000030
【図２１】
2006295647.tif 000031
【図２２】
2006295647.tif 000032